(57)【特許請求の範囲】
【請求項１】
筐体と、前記筐体に設けられ被写体を撮影する撮影手段と、前記撮影手段から見て前記被写体の撮影位置の後方に設けられて前記被写体の背景を構成する複数のカーテンとを備える写真撮影用の機器において、
前記複数のカーテンのそれぞれは、前記背景を構成する表面を内側にして２つに折られ、
前記２つに折られた各カーテンが、裏面同士を向き合わせるようにして他のカーテンと連結されてカーテンの集合体が形成され、
前記カーテンの集合体は、各カーテンの折り曲げ部が上下に伸びるように、かつ、各カーテンを前記撮影手段から見て被写体の後方にて択一的に左右に展開できるようにして前記筐体に取り付けられていることを特徴とする写真撮影用の機器。
【請求項２】
前記筐体の内側上方にて水平に設けられ、前記撮影手段に向かって凸形状を形成するレールと、
前記レールに沿って移動可能な複数のライナーと、
前記レールが形成する凸形状の内側に設けられた留め部と、を備え、
前記カーテンの集合体は、各カーテンの上端の両隅が前記ライナーにそれぞれ取り付けられるとともに、各カーテンの上端の中央が前記留め部にそれぞれ取り付けられることにより、各カーテンの折り曲げ部が上下に伸びるように、かつ、各カーテンを択一的に左右に展開できるようにして前記筐体に取り付けられていることを特徴とする請求項１に記載の写真撮影用の機器。
【請求項３】
前記レールが形成する凸形状は略半円形状であり、
展開されているカーテンの左右の端のいずれか一方を回動して２つに折ることにより、次のカーテンが展開されることを特徴とする請求項２に記載の写真撮影用の機器。
【請求項４】
前記レールとして同心円状の複数のレールを備え、
各カーテンの上端の両隅が外側のレールに沿って移動するライナーにそれぞれ取り付けられ、
各カーテンの上端の両隅と上端の中央との間の位置が内側のレールに沿って移動するライナーにそれぞれ取り付けられていることを特徴とする請求項３に記載の写真撮影用の機器。
【請求項５】
前記レールは、前記撮影手段から見て前記留め部の背後となる部分が前記レールが形成する凸形状の内側に向かって曲がっていることを特徴とする請求項２に記載の写真撮影用の機器。
【請求項６】
前記複数のライナーには第１の吊り下げ部材がそれぞれ取り付けられ、
前記留め部には第２の吊り下げ部材が取り付けられ、
前記カーテンの集合体を形成する各カーテンは、上端の両隅に前記第１の吊り下げ部材と係合する係合部材が、上端の中央に前記第２の吊り下げ部材と係合する係合部材がそれぞれ設けられ、
前記カーテンの集合体は、各カーテンの上端の両隅が前記ライナーにそれぞれ取り付けられるとともに、各カーテンの上端の中央が前記留め部にそれぞれ取り付けられることにより、各カーテンの折り曲げ部が上下に伸びるように、かつ、各カーテンを択一的に左右に展開できるようにして前記筐体に取り付けられていることを特徴とする請求項２に記載の写真撮影用の機器。
【請求項７】
各カーテンの一方の端部にはファスナーの一方の係合部材が、他方の端部にはファスナーの他方の係合部材がそれぞれ設けられ、
前記複数のカーテンは、前記ファスナーによって相互に連結されていることを特徴とする請求項１に記載の写真撮影用の機器。
【請求項８】
前記複数のカーテンのそれぞれには、前記ファスナーの係合部材の内側に、前記ファスナーに沿って複数のホックが設けれられ、
前記複数のホックそれぞれは、２つに折られた各カーテンが、裏面同士を向き合わせるようにして他のカーテンと連結されたときに、互いに嵌め合わされるように設けられていることを特徴とする請求項７に記載の写真撮影用の機器。
【請求項９】
前記複数のカーテンのそれぞれには、上端に沿って複数のホックが設けれられ、
前記複数のホックそれぞれは、２つに折られた各カーテンが、裏面同士を向き合わせるようにして他のカーテンと連結されたときに、互いに嵌め合わされるように設けられていることを特徴とする請求項８に記載の写真撮影用の機器。
【請求項１０】
前記撮影手段が撮影した画像をシールにして排出する印刷部を備えていることを特徴とする請求項１〜９のいずれか１項に記載の写真撮影用の機器。
【請求項１１】
筐体と、前記筐体に設けられ被写体を撮影する撮影手段とを備えた写真撮影用の機器の、前記撮影手段から見て前記被写体の撮影位置の後方に設けられて前記被写体の背景を構成する複数のカーテンの集合体において、
前記複数のカーテンのそれぞれは、前記背景を構成する表面を内側にして２つに折られ、
前記２つに折られた各カーテンが、裏面同士を向き合わせるようにして他のカーテンと連結されて形成されていることを特徴とする写真撮影用カーテンの集合体。
【請求項１２】
各カーテンの一方の端部にはファスナーの一方の係合部材が、他方の端部にはファスナーの他方の係合部材がそれぞれ設けられ、
前記複数のカーテンは、前記ファスナーによって相互に連結されていることを特徴とする請求項１１に記載の写真撮影用カーテンの集合体。
【請求項１３】
前記複数のカーテンのそれぞれには、前記ファスナーの係合部材の内側に、前記ファスナーに沿って複数のホックが設けれられ、
前記複数のホックそれぞれは、２つに折られた各カーテンが、裏面同士を向き合わせるようにして他のカーテンと連結されたときに、互いに嵌め合わされるように設けられていることを特徴とする請求項１２に記載の写真撮影用カーテンの集合体。
【請求項１４】
前記複数のカーテンのそれぞれには、上端に沿って複数のホックが設けれられ、
前記複数のホックそれぞれは、２つに折られた各カーテンが、裏面同士を向き合わせるようにして他のカーテンと連結されたときに、互いに嵌め合わされるように設けられていることを特徴とする請求項１３に記載の写真撮影用カーテンの集合体。
【請求項１５】
筐体と、前記筐体に設けられ被写体を撮影する撮影手段と、前記撮影手段から見て前記被写体の撮影位置の後方に設けられて前記被写体の背景を構成する複数のカーテンとを備える機器において、
前記複数のカーテンのそれぞれは複数に折られ状態で、各カーテンの折り曲げ部が上下に伸びるように、かつ、所定の基点にて一纏めになるようにして前記筐体に取り付けられ、
前記一纏めに取り付けられた各カーテンは、前記撮影手段から見て被写体の後方にて前記基点を中心として回動することができ、かつ該基点を中心として左右の少なくともいずれか一方に展開することができることを特徴とする写真撮影用の機器。
【発明の詳細な説明】
【０００１】
【発明の属する技術分野】
本発明は、写真撮影用の機器及び該機器に使用するカーテンに関する。
【０００２】
【従来の技術】
被写体の背景としてカーテンを用いる写真シール機として、例えば、実用新案登録第３０４７９１０号公報に記載された写真シール機が知られている。この写真シール機では、複数のカーテンがその上端にて綴じられている。綴じられたカーテンは、写真シール機から被写体の後方に伸びたフレームに取り付けられる。ユーザはフレームに取り付けられたカーテンを捲り上げることにより、複数のカーテンから任意のカーテンを選択して背景とすることができる。
【０００３】
他の写真シール機では、被写体の後方にカーテンレールが一本設けられ、複数のカーテンがそのカーテンレールに沿って繋げられて取り付けられる写真シール機が知られている。ユーザは、任意の１枚のカーテンをカーテンレールに沿って広げるとともに、他のカーテンをカーテンレールの端に小さく畳むことにより、複数のカーテンから背景とするカーテンを選択することができる。
【０００４】
【発明が解決しようとする課題】
しかし、近年、撮影スペースの光量調整等の目的から筐体の中に撮影スペースが形成された写真シール機が多く利用されている。このような写真シール機では、上述のカーテンを捲り上げる方法は、筐体の上面が障害となり使用することができない。また、カーテンを捲り上げるためには、カーテンが取り付けられているフレームよりもカーテンを高い位置まで持ち上げる必要があり、ユーザによっては非常に困難な作業となる。
【０００５】
また、上述のカーテンレールに複数のカーテンを取り付ける方法では、背景とするカーテン以外のカーテンはカーテンレールの端に小さく畳まれるため、カーテンに多数の皺がついてしまう。このため、カーテンの模様が歪むとともに、写真シールを見たときに背景がカーテンであることが明瞭にわかってしまい、ユーザは興醒めしてしまう。
【０００６】
そこで、本発明は、複数のカーテンから容易に背景とするカーテンを選択することができ、かつ、皺の少ないカーテンを背景とすることができる写真撮影用の機器及び該機器に使用するカーテンを提供することを目的とする。
【０００７】
【課題を解決するための手段】
以下、本発明について説明する。なお、本発明の理解を容易にするために添付図面の参照符号を括弧書きにて付記するが、それにより本発明が図示の形態に限定されるものではない。
【０００８】
本発明の写真撮影用の機器は、筐体（２）と、前記筐体に設けられ被写体（２１）を撮影する撮影手段（４）と、前記撮影手段から見て前記被写体の撮影位置の後方に設けられて前記被写体の背景を構成する複数のカーテン（２０…２０）とを備える写真撮影用の機器（１）において、前記複数のカーテンのそれぞれは、前記背景を構成する表面（２０ａ）を内側にして２つに折られ、前記２つに折られた各カーテンが、裏面同士を向き合わせるようにして他のカーテンと連結されてカーテンの集合体（３５）が形成され、前記カーテンの集合体は、各カーテンの折り曲げ部（２０ｇ）が上下に伸びるように、かつ、各カーテンを前記撮影手段から見て被写体の後方にて択一的に左右に展開できるようにして前記筐体に取り付けられていることにより、上述した課題を解決する。
【０００９】
本発明の写真撮影用の機器によれば、ユーザは各カーテンを水平方向に回転させて展開することにより、任意のカーテンを背景として選択する。従って、筐体の中に撮影スペースが形成された写真シール機にも用いることができる。しかも、ユーザはカーテンを高い位置まで持ち上げるような困難な作業をすることなく、容易に好みのカーテンを選択することができる。さらに、カーテンは２つに折られるだけであるので、カーテンをカーテンレールの端に畳むような場合に比べ、カーテンに皺が付くおそれがない。
【００１０】
なお、カーテンの模様は幾何学模様、キャラクター、風景等、どのような模様でもよい。カーテンの生地は、紙、布、ビニール等、２つに折りかつ展開することができればどのような生地でもよい。撮影手段が撮影した画像をシールにして排出する印刷部を備えていてもよい。
【００１１】
本発明の写真撮影用の機器において、前記筐体の内側上方にて水平に設けられ、前記撮影手段に向かって凸形状を形成するレール（２２）と、前記レールに沿って移動可能な複数のライナー（２３）と、前記レールが形成する凸形状の内側に設けられた留め部（４０）とを備え、前記カーテンの集合体は、各カーテンの上端（２０ｂ）の両隅（２０ｄ）が前記ライナーにそれぞれ取り付けられるとともに、各カーテンの上端の中央（２０ｃ）が前記留め部にそれぞれ取り付けられることにより、各カーテンの折り曲げ部が上下に伸びるように、かつ、各カーテンを択一的に左右に展開できるようにして前記筐体に取り付けられていてもよい。この場合、カーテンの中央と左右の端の動きが制約されるため、カーテンが細かく折り畳まれて皺が付くような状態を回避できる。また、カーテンは展開された状態と２つに折られた状態との間の移動状態では弛んでもかまわないので、移動状態において皺が付かない範囲内において、レールの形や大きさを筐体の大きさや形に応じて柔軟に設計することができる。
【００１２】
本発明の写真撮影用の機器において、前記レールが形成する凸形状は略半円形状であり、展開されているカーテンの左右の端のいずれか一方を回動して２つに折ることにより、次のカーテンが展開されてもよい。この場合、展開しているカーテンを回動すると次のカーテンが現れるため、カーテンの選択が容易であるとともに、カーテンの選択における趣向を高めることができる。
【００１３】
本発明の写真撮影用の機器において、前記レールとして同心円状の複数のレールを備え、各カーテンの上端の両隅が外側のレールに沿って移動するライナーにそれぞれ取り付けられ、各カーテンの上端の両隅と上端の中央との間の位置が内側のレールに沿って移動するライナーにそれぞれ取り付けられていてもよい。この場合、カーテンの上端の両隅と上端の中央との間の位置がライナーに吊り下げられるため、上端の弛みを防止することができる。
【００１４】
本発明の写真撮影用の機器において、前記レールは、前記撮影手段から見て前記留め部の背後となる部分が前記レールが形成する凸形状の内側に向かって曲がっていてもよい。この場合、内側に曲がった部分から撮影手段側へのライナーの移動に際しては抵抗が働く。このため、背景とするカーテンの背後で折られたカーテンが撮影手段側に出てくることを防止し、背景とするカーテンを平面に保つことができる。
【００１５】
本発明の写真撮影用の機器において、前記複数のライナーには第１の吊り下げ部材がそれぞれ取り付けられ、前記留め部には第２の吊り下げ部材（４１、５０）が取り付けられ、前記カーテンの集合体を形成する各カーテンは、上端の両隅に前記第１の吊り下げ部材と係合する係合部材（３２）が、上端の中央に前記第２の吊り下げ部材と係合する係合部材（３１）がそれぞれ設けられ、前記カーテンの集合体は、各カーテンの上端の両隅が前記ライナーにそれぞれ取り付けられるとともに、各カーテンの上端の中央が前記留め部にそれぞれ取り付けられることにより、各カーテンの折り曲げ部が上下に伸びるように、かつ、各カーテンを択一的に左右に展開できるようにして前記筐体に取り付けられていてもよい。この場合、カーテンの集合体の取り付け、取り外しを各店舗でも容易に行うことができる。
【００１６】
本発明の写真撮影用の機器において、各カーテンの一方の端部にはファスナーの一方の係合部材（３３）が、他方の端部にはファスナーの他方の係合部材（３３）がそれぞれ設けられ、前記複数のカーテンは、前記ファスナーによって相互に連結されていてもよい。この場合、カーテンの集合体を構成を流行や客層に合わせて各店舗でも容易にアレンジすることができる。
【００１７】
前記複数のカーテンのそれぞれには、前記ファスナーの係合部材の内側に、前記ファスナーに沿って複数のホック（３４…３４）が設けれられ、前記複数のホックそれぞれは、２つに折られた各カーテンが、裏面同士を向き合わせるようにして他のカーテンと連結されたときに、互いに嵌め合わされるように設けられていてもよい。この場合、ファスナーによって連結されたカーテンの端部が膨らむことを防止し、背景とするカーテンを皺のない平面に保つことができる。
【００１８】
前記複数のカーテンのそれぞれには、上端に沿って複数のホック（３４…３４）が設けれられ、前記複数のホックそれぞれは、２つに折られた各カーテンが、裏面同士を向き合わせるようにして他のカーテンと連結されたときに、互いに嵌め合わされるように設けられていてもよい。この場合、隣り合うカーテンと上端を留めるため、上端が弛みにくくなり、背景とするカーテンを皺のない平面に保つことができる。
【００１９】
本発明のカーテンの集合体は、筐体（２）と、筐体に設けられ被写体を撮影する撮影手段（４）とを備えた写真撮影用の機器（１）の、前記撮影手段からみて前記被写体の撮影位置の後方に設けられて前記被写体の背景を構成する複数のカーテン（２０…２０）の集合体（３５）において、前記複数のカーテンのそれぞれは、前記背景を構成する表面（２０ａ）を内側にして２つに折られ、前記２つに折られた各カーテンが、裏面同士を向き合わせるようにして他のカーテンと連結されて形成されていることを特徴とする。本発明のカーテンの集合体を、各カーテンの折り曲げ部が上下に伸びるように、かつ、各カーテンを択一的に左右に展開できるようにして取り付け可能な写真撮影用の機器に取り付けることにより、本発明の写真撮影用の機器を実現することができる。
【００２０】
なお、本発明の他のカーテンの集合体においても、上記の各種の好ましい態様を含んでいてもよい。すなわち、各カーテンの一方の端部（２０ｅ）にはファスナーの一方の係合部材（３３）が、他方の端部（２０ｅ）にはファスナーの他方の係合部材（３３）がそれぞれ設けられ、前記複数のカーテンは、前記ファスナーによって相互に連結されていてもよい。前記複数のカーテンのそれぞれには、前記ファスナーの係合部材の内側に、前記ファスナーに沿って複数のホック（３４）が設けれられ、前記複数のホックそれぞれは、２つに折られた各カーテンが、裏面同士を向き合わせるようにして他のカーテンと連結されたときに、互いに嵌め合わされるように設けられていてもよい。前記複数のカーテンのそれぞれには、上端に沿って複数のホック（３４）が設けれられ、前記複数のホックそれぞれは、２つに折られた各カーテンが、裏面同士を向き合わせるようにして他のカーテンと連結されたときに、互いに嵌め合わされるように設けられていてもよい。
【００２１】
本発明の他の写真撮影用の機器は、筐体（２）と、前記筐体に設けられ被写体（２１）を撮影する撮影手段（４）と、前記撮影手段から見て前記被写体の撮影位置の後方に設けられて前記被写体の背景を構成する複数のカーテン（２０…２０）とを備える写真撮影用の機器（１）において、前記複数のカーテンのそれぞれは複数に折られ状態で、各カーテンの折り曲げ部（２０ｇ）が上下に伸びるように、かつ、所定の基点（４０、６０）にて一纏めになるようにして前記筐体に取り付けられ、前記一纏めに取り付けられた各カーテンは、前記撮影手段から見て被写体の後方にて前記基点を中心として回動することができ、かつ該基点を中心として左右の少なくともいずれか一方に展開することができることにより上述した課題を解決する。
【００２２】
本発明の他の写真撮影用の機器によれば、ユーザは基点を中心として水平方向にカーテンを展開することにより、任意のカーテンを背景として選択する。従って、筐体の中に撮影スペースが形成された写真シール機にも用いることができる。しかも、ユーザはカーテンを高い位置まで持ち上げるような困難な作業をすることなく、容易に好みのカーテンを選択することができる。さらに、カーテンは所定数折られるだけであるので、カーテンをカーテンレールの端に畳むような場合に比べ、カーテンに皺が付くおそれがない。
【００２３】
【発明の実施の形態】
図１、図２及び図３は本発明の一実施形態に係る写真シール機１を示す図である。図１は写真シール機１全体を斜め上方から見た斜視図、図２は写真シール機１全体の断面図である。図１及び図２に示すように写真シール機１は筐体２と、その前部（図１及び図２の右側）に設けられた写真シール作成部３とを有しており、図３は写真シール作成部３の斜視図である。この写真シール機１は、いわゆるゲーム店等の娯楽施設に設置されて商業的に運用される機器として構成されている。図２に特に示すように、筐体２の中には、ユーザが出入り可能な撮影スペースＳが形成されている。撮影スペースＳは複数のユーザが並んで撮影できるように後部（図２の左側）が左右に広く形成されている。一方、撮影スペースＳの前部は店内のスペースを節約するために狭く形成されている。このため、筐体2は上方から見ると台形に近い形状となっている（図１参照）。
【００２４】
図２及び図３に示すように、写真シール作成部３には、被写体を撮影するための撮影手段としてのカメラ４と、ユーザの入力手段として機能するとともに、カメラ４が撮影している画像をユーザが確認するための表示手段として機能するタッチパネル付ディスプレイ５と、カメラ４が撮影した画像をシールにして排出する印刷部６と、排出されたシールをユーザが取り出すためのシール排出口７と、コイン投入口８とが設けられている。ユーザがコイン投入口８にコインを投入し、タッチパネル付ディスプレイ５に対して所定の操作を行うと、カメラ４は筐体２の後部９を背景として撮影スペースＳ内のユーザを撮影し、印刷部６にてシールが作成されてシール排出口７から排出される。
【００２５】
図４は写真シール機１の使用状態を示す模式図であり、図５は筐体２の後部９を斜め下方から見た斜視図である。図４に示すように、後部９には複数のカーテン２０…２０が取り付けられる。複数のカーテン２０…２０のうちユーザ２１の選択した一枚は、写真シール作成部３に向けて展開され、ユーザ２１の背景を構成する。他のカーテン２０…２０は展開されたカーテンの背後で２つに折られて重なっている。図５に示すように、後部９の上部には弧状（半円状）のレール２２と、レール２２に沿って移動するライナー２３とが設けられている。
【００２６】
図６〜図８を参照して、後部９に取り付けられるカーテン２０…２０について説明する。図６は１枚のカーテン２０を被写体の背景を構成する表面２０ａから見た図である。この図に示すように表面２０ａには背景となる模様が描かれている。カーテン２０の上端部２０ｂの中央部２０ｃには孔部を有するリング３１が、上端部２０ｂの両隅部２０ｄ、２０ｄには孔部を有するリング３２、３２がそれぞれ設けられる。カーテン２０の左右の一方の端部２０ｅにはファスナーの一方の係合部材３３が、他方の端部２０ｅにはファスナーの他方の係合部材３３がそれぞれ設けられる（以下、ファスナーのいずれの係合部材か特定する必要がない場合、又は両者が係合した状態の場合は、ファスナー３３という。）。上端部２０ａ及び左右の端部２０ｅ、２０ｅにはそれぞれホック３４…３４が設けられる。なお、図６では一端につきホック３４が４個設けられているが、カーテンの大きさ等に応じて適宜設けられる個数を変更してよい。カーテン２０の上端部２０ｂ、下端部２０ｆでは、生地の端が２つに折られて縫い合わされ、袋が形成されている。このため、この袋にダンボールやプラスチック等の軸を挿入してカーテン２０の弛みを防止することが可能である。なお、繊維からなるカーテンは、通常、縁の糸がほつれないように、生地の端を折り曲げて縫ってあり、端部に沿った袋が形成されている。この袋を弛み防止の軸を挿入する袋として用いてもよい。また、カーテンの下端部２０ｆに錘を取り付けることにより横皺を防止してもよい。
【００２７】
図７（ａ）に示すように、複数のカーテン２０はファスナー３３によって左右の端部２０ｅ同士が連結される。この際、カーテン２０…２０の表面２０ａ…２０ａは同じ向きとする。
【００２８】
図７（ｂ）に示すように、連結されたカーテン２０…２０はそれぞれ表面２０ａを内側にして２つに折り曲げられる。このとき、上下に伸びる折り曲げ部２０ｇは、上端の中央部２０ｃを通る直線である。なお、この図では理解を容易にするため、カーテン２０の折り曲げ部２０ｇを線によって示しているが、カーテン２０に折れ目を付ける必要はない。
【００２９】
図８に示すように、図７（ｂ）の状態から更に折り曲げられた各カーテン２０は、その裏面を両側に隣り合うカーテン２０、２０の裏面と半分ずつ重ねられる。なお、連結されたカーテン２０…２０の両端にあるカーテン２０、２０においては、連結されている側の裏面半分のみが隣り合うカーテン２０の裏面半分と重ねられる。重ねられたカーテン２０とカーテン２０とは、ホック３４…３４によって留められる。以上のように後部９に取り付けられるカーテン２０…２０の集合体３５が形成される。なお、カーテン２０同士の連結はファスナー３３やホック３４に限られず、面ファスナー等の連結及びその切り離しが容易な他の部材を用いてもよい。
【００３０】
図５、図９及び図１０を参照して、カーテンの集合体３５の後部９への取り付け方について説明する。後部９の背面側中央部９ａ（図５参照）には、図９に示すような弧状（半円状）の留め部４０が設けられ、留め部４０にはフック４１…４１が取り付けられる。フック４１…４１は留め部４０に沿って移動可能である。フック４１…４１にはそれぞれカーテン２０…２０のリング３１を介してカーテン２０の上端中央部２０ｃが掛けられる。一方、図５に示すように、カーテン２０の上端部２０ｂの両隅部２０ｄ、２０ｄそれぞれは、ライナー２３、２３に設けられた吊り下げ部材（図示省略）とリング３２、３２とを介してライナー２３、２３に掛けられる。但し、カーテンの集合体３５の両端となっているカーテン２０、２０における他のカーテンと連結されていない側の隅部２０ｄ、２０ｄそれぞれは、レール２２の端部２２ａ、２２ａに固定して設けられている吊り下げ部材（図示省略）に掛けられる。なお、図５ではライナー２３を一つしか図示していないが、実際には複数設けられる。
【００３１】
上記のように後部９に取り付けられたカーテン２０…２０を模式的に図示すると、図１０（ａ）に示すようになる。この図はレール２２に取り付けられたカーテンを下方から見た図である。この図に示すように、カーテン２０は左右の両端部２０ｅをレール２２に沿って移動することにより、２つに折られた状態、展開された状態にすることができる。いずれか一つのカーテン２０を展開された状態にすると、他のカーテン２０…２０は展開されたカーテンの背後にて２つに折られた状態となる。逆に、展開された状態のカーテン２０を折ると、そのカーテン２０と隣り合うカーテン２０が展開された状態となる。従って、ユーザはカーテン２０…２０のうち任意のカーテン２０を選択して展開することにより、容易に好みの模様のカーテン２０を写真シールの背景とすることができる。この際、レール２２は半円状であり、展開されているカーテン２０を回動して折ることにより次のカーテン２０が現れるため、ユーザのカーテン選択における趣向が高まる。また、留め部４０は半円状であるため、カーテン２０を回動したときにフック４１がスムーズに留め部４０に沿って移動し、抵抗なくカーテン２０を回動することができる。
【００３２】
しかも、カーテン２０は２つに折られるだけであるので、カーテンが通常使用されるように、カーテンの面に沿って畳んだり展開する場合に比べ、カーテンに皺が付くおそれがない。ここで、レール２２は半円状であり、留め部４０はその中心に設けられているとともに半円状であるため、カーテン２０は端部２０ｅと折り曲げ部２０ｇとの距離を一定に保ちつつ回動される。従って、回動によって皺が付くおそれや、回動の途中で放置されたような場合に皺が付くおそれもない。また、カーテン２０の上端部２０ｂ及び左右の端部２０ｄ、２０ｄは隣あうカーテン２０とホックにて留められており、上端部２０ｂにおける弛みや、左右の端部２０ｄ、２０ｄにおける膨らみを防止して、背景とするカーテン２０を平面に保つことができる。
【００３３】
更に、カーテンの集合体３５は、ファスナーとホックにて連結してあるだけなので、集合体３５を構成するカーテン２０を流行や客層に合わせて各店舗で容易に取替えることができる。
【００３４】
なお、留め部４０の大きさは、カーテン２０の枚数や大きさに応じて、背景とするカーテン２０に弛みができないように決定する。レール２２は図５に示すような半円に近い形状に限られず、カーテンを展開したときに皺がなければよい。例えば、カーテン２０の幅を長軸とする楕円を、長軸にて半分にしたような形状でもよい。写真シール機１に複数のストロボを設け、カーテン２０を複数の角度から照射することによって、カーテン２０の皺を写りにくくしてもよい。
【００３５】
図１０（ｂ）は、レール２２の円ｅで囲んだ部分の拡大図を模式的に示す図である。この図に示すように、レール２２は、端部２２ａ付近において内側に入り込んでいる。このため、内側に入り込んだ部分から前面側へのライナー２３の移動に際しては抵抗が働く。このようにすることで、背景とするカーテン２０の背後で折られたカーテン２０…２０が前面に出てくることを防止し、背景とするカーテン２０を平面に保つことができる。ここで、レール２２は半円状であり、カーテン２０の回動が容易な形状であるため、このような簡便な方法により、折られたカーテン２０…２０が前面に出てくることを防止することは効果的である。
【００３６】
なお、以上の実施形態では、一つのフック４１に一つのリング３１を介して一枚のカーテン２０を掛ける場合を例示したが、１つのフック４１に複数のリング３１を介して複数のカーテン２０…２０を掛けてもよい。また、図１１に示すように、留め部４０にリング５０を取り付け、リング５０にリング３１…３１を介して全てのカーテン２０…２０を掛けてもよい。
【００３７】
また、本実施形態ではレール２２を１本使用する例を示したが、図１２（ａ）に示すように、レール２２を複数設けてカーテン２０の弛みを防止してもよい。ここで、この図に示すようにレール２２、２２を同心円状の半円形状とすることにより、展開されている状態や折られている状態だけでなく、カーテン２０が回動されている状態での弛みも防止し、皺が付くおそれを軽減してもよい。
【００３８】
本実施形態ではカーテン２０を２つに折る例を示したが、図１２（ｂ）に示すように、カーテン２０の左右の端部２０ｅ、２０ｅの一方を固定し、他方をレール２２に沿って移動することにより、複数のカーテン２０…２０から背景とするカーテン２０を選択できるようにしてもよい。
【００３９】
本実施形態ではカーテンレール２２を使用する例を示したが、カーテンレール２２を用いなくともよい。例えば、後部９の上方に一端を支点として水平に回動可能な水平な軸を多数設け、その軸にカーテン２０を取り付けることにより、カーテン２０が水平に回転する状態を実現してもよい。この場合、例えば、図１２（ｃ）に示すように、支点６０を中心として回転する軸に更に回動可能な関節６１を設けてもよいし、図１２（ｄ）に示すように、支点６０を後部９の２個所に設けてもよい。
【００４０】
【発明の効果】
以上に説明したように、本発明の写真撮影用の機器によれば、ユーザは各カーテンを水平方向に回転させて展開することにより、任意のカーテンを背景として選択する。従って、筐体の中に撮影スペースが形成された写真シール機にも用いることができる。しかも、ユーザはカーテンを高い位置まで持ち上げるような困難な作業をすることなく、容易に好みのカーテンを選択することができる。さらに、カーテンは２つに折られるだけであるので、カーテンをカーテンレールの端に畳むような場合に比べ、カーテンに皺が付くおそれがない。
【図面の簡単な説明】
【図１】本発明の一実施形態に係る写真シール機の斜視図。
【図２】図１の写真シール機の断面図。
【図３】図１の写真シール機の写真シール作成部の斜視図。
【図４】図１の写真シール機の使用状態を示す図。
【図５】図１の写真シール機の後部を斜め下方から見た図。
【図６】図１の写真シール機に取り付けられるカーテンを示す図。
【図７】図６のカーテンの集合体の展開図。
【図８】図６のカーテンの集合体の図。
【図９】図１の写真シール機におけるカーテンの集合体の取り付け方法。
【図１０】図１の写真シール機に取り付けられたカーテンの集合体の模式図。
【図１１】図９のカーテンの集合体の取り付け方法の変形例。
【図１２】図１の写真シール機の変形例。
【符号の説明】
１  写真シール機
２  筐体
４  カメラ（撮影手段）
２０  カーテン
２０ａ  表面
２０ｂ  上端部
２０ｃ  上端中央部
２０ｄ  隅部
２０ｇ  折り曲げ部
２２  レール
２３  ライナー
２１  被写体
３１  リング（係合部材）
３２  リング（係合部材）
３３  ファスナーの係合部材
３４  ホック
３５  カーテンの集合体
４０  留め部
４１  フック（吊り下げ部材）
５０  リング（吊り下げ部材）
【図１】
0003686613.tif 000002
【図２】
0003686613.tif 000003
【図３】
0003686613.tif 000004
【図４】
0003686613.tif 000005
【図５】
0003686613.tif 000006
【図６】
0003686613.tif 000007
【図７】
0003686613.tif 000008
【図８】
0003686613.tif 000009
【図９】
0003686613.tif 000010
【図１０】
0003686613.tif 000011
【図１１】
0003686613.tif 000012
【図１２】
0003686613.tif 000013